(57)【要約】      （修正有）【課題】照明器具を充分に放熱でき、光拡散が良好な一体型ＬＥＤ省エネ照明器具を提供する。【解決手段】一体型ＬＥＤ省エネ照明器具は、照明管モジュール、アルミ基板またはエポキシ板またはＬＥＤストリップ、ＬＥＤ電球および熱伝導クリスを含み、照明管モジュールは、一つ以上の照明管１を含み、照明管はガラス製照明管であり、照明管内または照明管外には蛍光体粉体層が塗布されており、アルミ基板またはエポキシ板２またはＬＥＤストリップは照明管の内部において、ガラス製照明管の内壁とは隙間が存在するように固定され、隙間には固体状の熱伝導クリス４が充填されており、ＬＥＤ電球３はアルミ基板またはエポキシ板またはＬＥＤストリップに固定されており、照明管、熱伝導クリス、アルミ基板またはエポキシ板またはＬＥＤストリップは一体に接続されている。【選択図】図１
0003213498.tif 000002
【実用新案登録請求の範囲】
【請求項１】
照明管モジュール、アルミ基板またはエポキシ板またはＬＥＤストリップ、ＬＥＤ電球および熱伝導クリスを含み、
前記照明管モジュールは、一つ以上の照明管を含み、前記照明管はガラス製照明管であり、前記照明管内または照明管外には蛍光体粉体層が塗布されており、
前記アルミ基板またはエポキシ板またはＬＥＤストリップは前記照明管の内部において、ガラス製照明管の内壁とは隙間が存在するように固定され、前記隙間には固体状の熱伝導クリスが充填されており、
前記ＬＥＤ電球は前記アルミ基板またはエポキシ板またはＬＥＤストリップに固定されており、
前記照明管、熱伝導クリス、アルミ基板またはエポキシ板またはＬＥＤストリップは一体に接続されている、
ことを特徴とする一体型ＬＥＤ省エネ照明器具。
【請求項２】
前記隙間は、「Ｄ」字状のキャビティであることを特徴とする請求項１に記載の一体型ＬＥＤ省エネ照明器具。
【請求項３】
前記照明管は、「π」字状を有することを特徴とする請求項１に記載の一体化型ＬＥＤ省エネ照明器具。
【請求項４】
前記照明管は、「Ｈ」字状を有することを特徴とする請求項１に記載の一体型ＬＥＤ省エネ照明器具。
【請求項５】
前記照明管は、「Ｕ」字状を有することを特徴とする請求項１に記載の一体型ＬＥＤ省エネ照明器具。
【請求項６】
前記照明管モジュールは、２〜２０個の照明管を含むことを特徴とする請求項１に記載の一体型ＬＥＤ省エネ照明器具。
【請求項７】
前記アルミ基板またはエポキシ板は「Ｈ」字状を成して、左右両端を含み、照明管は「π」字状または「Ｈ」字状または「Ｕ」字状を有し、アルミ基板またはエポキシ板の左右両端はともに前記照明管内に設けられていることを特徴とする請求項１に記載の一体型ＬＥＤ省エネ照明器具。
【請求項８】
照明管モジュール、アルミ基板またはエポキシ板またはＬＥＤストリップ、ＬＥＤ電球および熱伝導クリスを含み、
前記照明管モジュールは、少なくとも一つの照明管を含み、前記照明管はガラス製照明管であり、前記照明管内または照明管外には蛍光体粉体層が塗布されており、
前記アルミ基板またはエポキシ板またはＬＥＤストリップは前記照明管の内部において、「Ｂ」字状または「Ｗ」字状のキャビティを形成するように固定されており、「Ｂ」字状または「Ｗ」字状のキャビティ内には固体状の熱伝導クリスが充填されており、
前記ＬＥＤ電球は前記アルミ基板またはエポキシ板またはＬＥＤストリップに固定されており、
前記照明管、熱伝導クリス、アルミ基板またはエポキシ板またはＬＥＤストリップは一体に接続されている、
ことを特徴とする一体型ＬＥＤ省エネ照明器具。
【請求項９】
前記アルミ基板またはエポキシ板は「Ｈ」字状を成して、左右両端を含み、照明管は「π」字状または「Ｈ」字状または「Ｕ」字状を有し、アルミ基板またはエポキシ板の左右両端はともに前記照明管内に設けられていることを特徴とする請求項８に記載の一体型ＬＥＤ省エネ照明器具。
【考案の詳細な説明】
【技術分野】
【０００１】
本考案は省エネ照明器具タイプのＬＥＤ製品に関し、具体的には熱伝導クリスおよび光拡散剤を利用する一体型ＬＥＤ省エネ照明器具に関する。
【背景技術】
【０００２】
従来の省エネ照明器具は、主にＰＣ（Ｐｏｌｙｃａｒｂｏｎａｔｅ）プラスチック製照明管またはガラス製照明管を利用しており、照明管内または照明管外には光拡散剤が塗布されている。また、図６に示すように、ＬＥＤ電球を有する長尺状のアルミ基板は、プラスチック製照明管またはガラス製照明管内に直接設置される。しかしながら、省エネ照明器具内部のアルミ基板と照明管内部との間に隙間が存在するため、アルミ基板を良好に放熱できず、熱伝導の効果が悪く、ワット数も比較的に低く、比較的に大きなワット数を有する従来の省エネ照明器具を代替することができない。
【考案の概要】
【考案が解決しようとする課題】
【０００３】
本考案は、照明器具を充分に放熱でき、かつ光拡散が良好であるとの技術課題を解決できる一体型ＬＥＤ省エネ照明器具を提供することを目的とする。
【課題を解決するための手段】
【０００４】
本考案に係る一体型ＬＥＤ省エネ照明器具は、照明管モジュール、アルミ基板またはエポキシ板またはＬＥＤストリップ、ＬＥＤ電球および熱伝導クリスを含み、前記照明管モジュールは、一つ以上の照明管を含み、前記照明管はガラス製照明管であり、前記照明管内または照明管外には蛍光体粉体層が塗布されており、前記アルミ基板またはエポキシ板またはＬＥＤストリップは前記照明管の内部において、ガラス製照明管の内壁とは隙間が存在するように固定され、前記隙間には固体状の熱伝導クリスが充填されており、前記ＬＥＤ電球は前記アルミ基板またはエポキシ板またはＬＥＤストリップに固定されており、前記照明管、熱伝導クリス、アルミ基板またはエポキシ板またはＬＥＤストリップは一体に接続されている。
【０００５】
前記隙間は、「Ｄ」字状のキャビティである。
【０００６】
前記照明管は、「π」字状を有する。
【０００７】
前記照明管は、「Ｈ」字状を有する。
【０００８】
前記照明管は、「Ｕ」字状を有する。
【０００９】
前記照明管モジュールは、２〜２０個の照明管を含む。
【００１０】
前記アルミ基板またはエポキシ板は「Ｈ」字状を成して、左右両端を含み、照明管は「π」字状または「Ｈ」字状または「Ｕ」字状を有し、アルミ基板またはエポキシ板の左右両端はともに前記照明管内に設けられている。
【００１１】
本考案に係る他の一つの一体型ＬＥＤ省エネ照明器具は、照明管モジュール、アルミ基板またはエポキシ板またはＬＥＤストリップ、ＬＥＤ電球および熱伝導クリスを含み、前記照明管モジュールは少なくとも一つの照明管を含み、前記照明管はガラス製照明管であり、前記照明管内または照明管外には蛍光体粉体層が塗布されており、前記アルミ基板またはエポキシ板またはＬＥＤストリップは前記照明管の内部において、「Ｂ」字状または「Ｗ」字状のキャビティを形成するように固定されており、「Ｂ」字状または「Ｗ」字状のキャビティ内には固体状の熱伝導クリスが充填されており、前記ＬＥＤ電球は前記アルミ基板またはエポキシ板またはＬＥＤストリップに固定されており、前記照明管、熱伝導クリス、アルミ基板またはエポキシ板またはＬＥＤストリップは一体に接続されている。
【００１２】
前記アルミ基板またはエポキシ板は「Ｈ」字状を成して、左右両端を含み、照明管は「π」字状または「Ｈ」字状または「Ｕ」字状を有し、アルミ基板またはエポキシ板の左右両端はともに前記照明管内に設けられている。
【考案の効果】
【００１３】
本考案によれば、照明管内または照明管外には粉体層が塗布されているガラス製照明管を採用しているため、ガラス製管の通気性がよいとの特性を利用して、照明管はより光を出射しやすくなり、蛍光体粉体層のような粉体層が塗布されることにより光の拡散や伝達がより有利になる。また、本考案によれば、アルミ基板またはエポキシ板を「Ｈ」字状に設けているため、各アルミ基板またはエポキシ板を接続するワイヤを節約でき、組み立てプロセスの簡略化を実現でき、各基板に貼り付けられているＬＥＤの色温度の一致性がより良く、ボンディングワイヤに起因される様々な溶接不良要因を低減できる。なお、他の一つの態様の照明器具によれば、アルミ基板またはエポキシ板は照明管の内部において、「Ｂ」字状または「Ｗ」字状のキャビティを形成するように固定されおり、該キャビティ内には固体状の熱伝導クリスが充填されているため、アルミ基板またはエポキシ板と熱伝導クリスとの接触面積を増加でき、照明管を充分に放熱できる。さらに、ＬＥＤストリップを増加することにより、照明器具全体の実用性および多選択性を向上できる。
【図面の簡単な説明】
【００１４】
【図１】実施例１に係る省エネ照明器具を示す図である。
【図２】実施例２に係る省エネ照明器具を示す図である。
【図３】実施例３に係る省エネ照明器具を示す図である。
【図４】実施例４に係る省エネ照明器具を示す図である。
【図５】「Ｈ」字状のアルミ基板またはエポキシ板を示す図である。
【図６】従来の長尺状のアルミ基板またはエポキシ板を示す図である。
【考案を実施するための形態】
【００１５】
（実施例１）
図１に示すように、一体型ＬＥＤ省エネ照明器具は、一つの照明管モジュール、一つの図５に示される「Ｈ」字状を有するアルミ基板またはエポキシ板２、複数のＬＥＤ電球３および二つの熱伝導クリス４を含む。照明管モジュールは、一つの「Ｈ」字状の照明管１を含み、照明管１内にはアルミ基板またはエポキシ板２が設けられている。アルミ基板またはエポキシ板と照明管１との間には固体状の熱伝導クリス４が充填されている。ＬＥＤ電球３は、アルミ基板またはエポキシ板２に固定されている。実際の応用において、一つの「Ｈ」字状のアルミ基板またはエポキシ板２は、二つの長尺状のアルミ基板またはエポキシ板２により代替でき、「Ｈ」字状の照明管１は二つの互いに独立の照明管１または一つの「π」字状または「Ｕ」字状の照明管１により代替できる。
【００１６】
（実施例２）
図２に示すように、実施例２は上述の実施例と比べれば、照明管モジュールにおける照明管１が二つの「π」字状または「Ｈ」字状または「Ｕ」字状の照明管１であることで異なる。二つの照明管１は上下に対称配置されている。
【００１７】
（実施例３）
図３に示すように、実施例３は上述の実施例と比べれば、照明管モジュールにおける照明管１が三つの「π」字状または「Ｈ」字状または「Ｕ」字状の照明管１であることで異なる。三つの照明管１は照明器具の中心線の周りに均一に対称配置されている。
【００１８】
（実施例４）
図４に示すように、実施例４は上述の実施例と比べれば、照明管モジュールにおける照明管１が四つの「π」字状または「Ｈ」字状または「Ｕ」字状の照明管１であることで異なる。四つの照明管１は照明器具の中心線の周りに均一に対称配置され、「口」字状を成している。
【００１９】
生産の実施および応用においては、ＬＥＤストリップにより上述のアルミ基板またはエポキシ板２を代替でき、同時に、長尺状のアルミ基板またはエポキシ板２を波状等のように弧度を有するように作ることができる。こうすると、アルミ基板またはエポキシ板２とガラス製照明管１との間には「Ｂ」字状または「Ｗ」字状のキャビティが形成でき、熱伝導クリス４とアルミ基板またはエポキシ板２との接触面積を増加できる。
【符号の説明】
【００２０】
１  照明管、
２  アルミ基板またはエポキシ板、
３  電球、
４  熱伝導クリス。
【図１】
0003213498.tif 000003
【図２】
0003213498.tif 000004
【図３】
0003213498.tif 000005
【図４】
0003213498.tif 000006
【図５】
0003213498.tif 000007
【図６】
0003213498.tif 000008